(57)【要約】【課題】痒い部分を掻きむしってもその部分で引っ掻き傷が発生したり、炎症箇所での炎症の悪化を引き起こすことを確実に阻止することができる皮膚炎用手袋を提供する点にある。【解決手段】メッシュ状に構成された手袋本体１の指側先端部に、摩擦係数の小さい合成樹脂でなる指キャップ２Ａ，２Ｂ，２Ｃ，２Ｄ，２Ｅを被せて、皮膚炎用手袋を構成した。【選択図】  図１
2004353137.tif 000002
【特許請求の範囲】
【請求項１】
通気性を有する手袋本体の指側先端部に、摩擦係数の小さい合成樹脂部を有することを特徴とする皮膚炎用手袋。
【請求項２】
前記合成樹脂部が、前記手袋本体の指側先端部に被せた指キャップである請求項１記載の皮膚炎用手袋。
【請求項３】
前記手袋本体がメッシュ状に構成されたものでなる請求項１又は２記載の皮膚炎用手袋。
【請求項４】
前記手袋本体が５本の指部を備えてなり、これら指部のそれぞれに前記指キャップを被せてなる請求項１〜３のいずれかに記載の皮膚炎用手袋。
【請求項５】
前記指キャップの先端面を球面に構成してなる請求項２記載の皮膚炎用手袋。
【請求項６】
前記指キャップの手袋本体側裏面に該指キャップへの指の挿入に伴って弾性変形して指に食い込む弾性体を備えさせてなる請求項２〜５のいずれかに記載の皮膚炎用手袋。
【請求項７】
前記手袋本体が再生セルロース繊維または／およびポリエステル繊維から構成されてなる請求項１〜６のいずれかに記載の皮膚炎用手袋。
【請求項８】
前記手袋本体の基端部に締め付け用バンドを備えさせてなる請求項１〜７のいずれかに記載の皮膚炎用手袋。
【発明の詳細な説明】
【０００１】
【発明の属する技術分野】
本発明は、主としてアトピー性皮膚炎等のアレルギー性皮膚炎や各種湿疹性疾患の炎症の悪化防止に用いるための皮膚炎用手袋に関する。
【０００２】
【従来の技術】
上記皮膚炎用手袋は、特にアトピー性皮膚炎等のアレルギー性皮膚炎や各種湿疹性疾患の方が特に就寝中において、無意識のうちに顔や首などの痒い部分を指の爪で掻きむしってしまい、その部分に引っ掻き傷が発生したり、炎症箇所においてはその炎症が悪化してしまうことを回避するために装着するものである。
そして、その手袋としては、綿、絹、麻などの素材からなり、人差し指、中指、薬指、小指を一括して包むことができる第１グローブ部と親指を包むことができる第２グローブ部とからなるミトンのものが提案されている（例えば、特許文献１参照）。
【０００３】
【特許文献１】
登録実用新案第３０５８１０２号公報（図１、図２参照）
【０００４】
【発明が解決しようとする課題】
上記特許文献１では、手袋の素材が綿、絹、麻であるため、爪で痒い部分を直接掻く場合に比べてその部分での引っ掻き傷の発生や炎症箇所での炎症の悪化を抑制することができるものの、皮膚表面に対する手袋表面の摩擦係数が比較的大きなものになることから、痒い部分を掻きむしることによりその部分での引っ掻き傷の発生や、炎症の悪化を十分に抑制することができないものであり、改善の余地があった。
【０００５】
本発明が前述の状況に鑑み、解決しようとするところは、痒い部分を掻きむしってもその部分で引っ掻き傷が発生したり、炎症箇所での炎症の悪化を引き起こすことを確実に阻止することができる皮膚炎用手袋を提供する点にある。
【０００６】
【課題を解決するための手段】
本発明は、前述の課題解決のために、通気性を有する手袋本体の指側先端部に、摩擦係数の小さい合成樹脂部を有することを特徴としている。
従って、手袋本体に手を入れてから、手袋本体の指側先端部の合成樹脂部内に指の先端を入れることによって、指の爪が摩擦係数の小さい合成樹脂部にて覆われることになり、この状態で痒い部分を掻きむしったとしても、皮膚表面を合成樹脂部が滑るだけであり、その部分で引っ掻き傷が発生したり、炎症箇所での炎症が悪化することを確実に阻止することができる。前記手袋本体は、５本の指をそれぞれ入れることができる５本の指部を備えさせたグラブのものや、親指を入れることができる第１の指部とその他の４本の指を一括して入れることができる第２の指部とからなるミトンのもの等、手袋本体の構成は自由に変更することができる。そして、前記合成樹脂部を手袋本体の構成に合わせて形成して備えさせることになる。
前記合成樹脂部は、具体的には指を入れ易く、しかも指を入れた状態で物を掴みやすい指の形状をした指キャップとすることが好ましい。
【０００７】
前記手袋本体をメッシュ状に構成することによって、通気性が良いことは勿論のこと、材料の減量化による手袋本体自体の軽量化をも図ることができる。
【０００８】
前記手袋本体が５本の指部を備えてなり、これら指部のそれぞれに前記指キャップを被せてなっている。
上記のように構成することによって、手袋を装着した後でも５本の指を自由に使用することができる。
【０００９】
前記指キャップの先端面を球面に構成することによって、どの方向から掻きむしったとしても、皮膚表面を同じように滑りやすくすることができる。
【００１０】
前記指キャップの手袋本体側裏面に該指キャップへの指の挿入に伴って弾性変形して指に食い込む弾性体を備えさせることによって、指キャップへの指の挿入により弾性体が指に食い込んで指キャップが外れることを抑制することができる。
【００１１】
前記手袋本体を、再生セルロース繊維または／およびポリエステル繊維から構成してもよい。再生セルロース繊維としては、キュプラ繊維などが好適に用いられ、吸湿性及び放湿性に優れると共に摩擦係数が小さく、絹のような肌触りがあり、肌荒れなどのトラブル発生が少なく、着用快適性を向上することができる。又、ポリエステル繊維から手袋本体を構成する場合には、綿や絹又は麻あるいは紙などで構成した場合において汗が何度も付着し、それら付着した汗が乾燥することによる材料の劣化が発生して、耐久性が低下するようなことがないだけでなく、洗浄を行い易い利点もある。又、再生セルロース繊維とポリエステル繊維とを複合して手袋本体を構成した場合には、吸湿性を有することは勿論のこと、耐久性において有利になる。
【００１２】
前記手袋本体の基端部に締め付け用バンドを備えさせることによって、就寝中などに手から手袋が脱げてしまうようなことがなく、常に手袋を装着した状態を維持し易い。
【００１３】
【発明の実施の形態】
図１に、本発明の皮膚炎用手袋（以下、手袋と言う）が示されている。この手袋は、５本の指をそれぞれ覆うための親指部１Ａ、人差し指部１Ｂ、中指部１Ｃ、薬指部１Ｄ、小指部１Ｅを備えた５本の指部側と掌側を覆う本体部とからなる手袋本体１と、前記手袋本体１の指部の先端に被せて固定した合成樹脂部を構成する指キャップ２Ａ，２Ｂ，２Ｃ，２Ｄ，２Ｅとからなるグラブからなっているが、親指部とそれ以外の４本の指部が単一で幅広に構成された指部とからなるミトンであってもよい。前記合成樹脂部を指の形状に似た指キャップから構成することによって、指を入れ易く、しかも指を入れた状態で物を掴みやすい利点があるが、他の形状であってもよい。
【００１４】
前記手袋本体１は、例えば一年草のコットンから取れるリンターを原料として作られ、吸湿性・放湿性に優れると共に摩擦係数の小さなキュプラ等の皮膚との摩擦が少なく、絹のような肌触りを有する再生セルロース繊維を用いてメッシュ状に形成されており、通気性及び着用快適性において良好になる利点がある。
又、手袋本体１をポリエステル繊維から構成する場合には、綿や絹又は麻あるいは紙などで構成した場合において汗が皮膚に付着してしまい、装着感が悪くなったり、耐久性が低下するようなことがないだけでなく、洗浄を行い易い利点もあるが、綿や絹又は麻あるいは紙などで構成することもできる。前記再生セルロース繊維又はポリエステル繊維あるいはそれら両繊維を編み込んでメッシュ状に構成する場合には、結び目が指部の先端に位置するようにし、その結び目を指キャップにて覆い隠すことにより、見た目のよい手袋を提供することができる。前記手袋本体１をポリエステル繊維以外のその他の合成樹脂で構成する場合には、溶融された合成樹脂を金型に流し込んでメッシュ状に成形することになる。尚、前記再生セルロース繊維とポリエステル繊維とを混合して編み込む場合には、再生セルロース繊維／ポリエステル繊維の割合を、望ましくは３０／７０重量％〜７０／３０重量％、さらに望ましくは４０／６０重量％〜６０／４０重量％することによって、単独でそれぞれ手袋本体１を構成した場合に比べて、吸湿性と耐久性の両方において同程度の効果を奏するものになり好ましいが、両繊維の割合は、上記割合以外であってもよい。
【００１５】
前記指キャップ２Ａ，２Ｂ，２Ｃ，２Ｄ，２Ｅは、摩擦係数の小さい合成樹脂、例えばポリエチレンやテフロン（登録商標）などから構成され、各指部先端に接着剤又は熱融着により被せた状態で固定しているが、例えば指キャップを２つの部材から構成し、それら２つの分割部を係止により一体化できるように一方の分割部に係止部を備えさせ、他方の分割部に該係止部に係止する係止孔を備えさせ、これら２つの分割部を一体化させるときに指部の先端を挟み込んだ状態で両分割部を係止固定するようにしてもよい。
前記のように摩擦係数の小さい合成樹脂にて指キャップを構成することによって、身体の痒い部分を掻きむしっても、皮膚上を指キャップが滑るだけで傷を付けたり、患部の炎症の悪化を招くことを確実に阻止することができるようにしている。
前記摩擦係数の小さい合成樹脂としては、テフロン（登録商標）（０．０４）、高密度ポリエチレン（０．１）、ポリアミド（０．２）、ポリアセタール（０．２）、低密度ポリエチレン（０．３）、ポリカーボネート（０．３）などのカッコ内に示した摩擦係数（実際には合成樹脂同士の動摩擦係数）が０．３以下の合成樹脂が望ましく、さらに望ましくは、テフロン（登録商標）、高密度ポリエチレンなどの摩擦係数が０．２以下の合成樹脂が好ましい。
【００１６】
前記手袋本体１の基端部、つまり手首よりも肩側に少し寄った部分に締め付け用バンド（ベルトとも言う）３を備えさせて、特に就寝中に手から手袋が外れてしまうことを回避することができる。前記バンド（ベルト）３は、一端側に複数の孔を備えた帯状のベルト本体とこのベルト本体の他端に備えたバックルとからなり、バックルに通したベルト本体の特定の孔にバックルの爪を係止させて固定する一般的なベルトや、帯状部材の一端の表面と他端の裏面に面ファスナーを備えさせたものであってもよいし、あるいは手首よりも小さな外形寸法に構成されたリング（環状）のゴム材を備えさせてゴム材の収縮力により固定するものであってもよい。又、前記手袋本体１自体をゴム製のものから構成したり、手袋本体１の寸法を手にぴったりフィットするような寸法に設定する場合には、前記締め付けバンド３などを不要にすることができる。
【００１７】
前記各指キャップ２Ａ又は２Ｂ又は２Ｃ又は２Ｄ又は２Ｅが、同一形状であるため、親指の指キャップ２Ａについて詳述すれば、図２に示すように、先端面２Ａ側ほど曲率半径が大きくなる湾曲面を描く断面形状がほぼＵ字状に形成されると共に、指４の爪４Ａが完全に入り込む深さを有する寸法に構成されたものからなっているが、図３及び図４に示すように、先端面２Ａがほぼ同一の曲率半径にて球面を描く断面形状がほぼ円形に構成することによって、皮膚に対してどの角度からも指キャップ２Ａが滑り易くなるようにしてもよい。図３及び図４のように指キャップ２Ａを構成することによって、指キャップ２Ａの厚みが図２に比べて大きくなることから、図３のように後端に指部１Ａ表面との段部２ｂ，２ｂが発生してしまい、その段部２ｂに他物が引っ掛かって指から指キャップ２Ａが外れてしまうことがあるが、図４のように指キャップ２Ａの外面から指部１Ａ表面へ後端側ほど緩やかに傾斜した傾斜面２ｂを形成することによって、他物との引っ掛かりも回避することができる。
【００１８】
又、前記指キャップ２Ａの裏面と指部１Ａの表面との間に、図５（ａ）に示すように弾性体でなる内側層６を備えさせて実施してもよい。つまり、外側の層５を構成する指キャップ２Ａを前記のように球面でなる先端面２Ａを備えさせた断面形状ほぼ円形に構成すると共に前記合成樹脂にて構成し、その指キャップ２Ａの裏面にスポンジやゴムあるいは発泡合成樹脂などからなる弾性変形可能な内側層６を備えさせている。そして、指の挿入方向と直交する方向の指キャップ２Ａ内部の寸法Ｌを、図５（ｂ）で示す指の寸法Ｆよりも小さくしておくことによって、図６に示すように、指４を挿入することにより内側層６が外側に押圧されて縮小する側に弾性変形し、戻ろうとする弾性力が指４に作用して内側層６が指４に食い込むことにより、指４に指キャップ２Ａを固定することができる。図５（ａ）では、前記指キャップ２Ａの裏面と指部１Ａ先端の表面との間に、前記内側層６を備えさせ、指に内側層６が指部１Ａ先端を介して間接的に食い込むものを示したが、指部１Ａ先端のみ省略する、あるいは指部１Ａの内面側に内側層６を備えさせることによって、指４に直接内側層６が食い込むようにすれば、より一層指キャップ２Ａから指４が外れないようにすることができる利点がある。
【００１９】
【発明の効果】
請求項１の発明によれば、指の爪を摩擦係数の小さい合成樹脂部にて覆うことによって、特に就寝中に痒い部分を掻きむしったとしても、その部分に引っ掻き傷が発生したり、炎症箇所での炎症が悪化することを確実に阻止することができ、特にアトピー性皮膚炎等のアレルギー性皮膚炎や各種湿疹性疾患の方にとって有益な皮膚炎用手袋を提供することができる。しかも、通気性に優れているから、特に湿気の多い時期などに蒸れてしまい、使用しにくいといったことがなく、快適に使用することができる。
【００２０】
請求項２の発明によれば、合成樹脂部を、指の形状をした指キャップにすることによって、指を入れ易く、しかも指を入れた状態で物を掴みやすいといった利点があり、商品価値の高いものにすることができる。
【００２１】
請求項３の発明によれば、手袋本体をメッシュ状に構成することによって、通気性が良いことは勿論のこと、材料の減量化による手袋本体自体の軽量化をも図ることができ、使用面及び取扱面のいずれにおいても有利になる。
【００２２】
請求項４の発明によれば、手袋本体を５本の指部を備えたものから構成することによって、手袋を装着した後でも５本の指を自由に使用することができ、使用面において有利になる。
【００２３】
請求項５の発明によれば、指キャップの先端面を球面に構成することによって、どの方向から掻きむしったとしても、皮膚表面を同じように滑りやすくすることができ、完成度の高い商品とすることができる。
【００２４】
請求項６の発明によれば、指キャップの手袋本体側裏面に指キャップへの指の挿入に伴って弾性変形して指に食い込む弾性体を備えさせることによって、指キャップが外れることを抑制することができ、使用時に指キャップが外れにくい信頼性の高いものにすることができる。
【００２５】
請求項７の発明によれば、手袋本体を、再生セルロース繊維にて構成した場合には、吸湿性及び放湿性に優れると共に摩擦係数が小さく、絹のような肌触りがあり、肌荒れなどのトラブル発生が少なく、着用快適性を向上することができ、手袋として快適に使用する使用面において特に有利である。又、ポリエステル繊維から手袋本体を構成する場合には、綿や絹又は麻あるいは紙などで構成した場合において汗が何度も付着し、それら付着した汗が乾燥することによる材料の劣化が発生して、耐久性が低下するようなことがなく、しかも洗浄を行い易い利点もあり、長期間に渡って使用することができるコスト面において有利な手袋とすることができる。又、再生セルロース繊維とポリエステル繊維とを複合して手袋本体を構成した場合には、吸湿性を有することは勿論のこと、耐久性においても同程度に有利になり、使用面及び耐久面の両方を同程度に良好に発揮することができる手袋とすることができる。
【００２６】
請求項８の発明によれば、手袋本体の基端部に締め付け用バンドを備えさせることによって、就寝中などに手から手袋が脱げてしまうようなことがなく、常に手袋を装着した状態を維持し易く、手袋が多少大きくても手から外れてしまうことがなく、多種類のサイズの手袋を製造しなくてもよく、製造コストにおいて有利になる。
【図面の簡単な説明】
【図１】手に装着した手袋の斜視図である。
【図２】図１で示した手袋の指キャップの部分を示す断面図である。
【図３】別の指キャップの形状を示す断面図である。
【図４】別の指キャップの形状を示す断面図である。
【図５】（ａ）は別の指キャップの形状を示す断面図、（ｂ）は（ａ）の指キャップに挿入する指を示している。
【図６】図５で示した指キャップに指を入れた状態を示す断面図である。
【符号の説明】
１  手袋本体            １Ａ  親指部
１Ｂ  人差し指部        １Ｃ  中指部
１Ｄ  薬指部            １Ｅ  小指部
２Ａ〜２Ｅ  指キャップ  ２ｂ  傾斜面（段部）
２ａ  先端面            ３  バンド
４  指                  ４Ａ  爪
５  外側層              ６  内側層
【図１】
2004353137.tif 000003
【図２】
2004353137.tif 000004
【図３】
2004353137.tif 000005
【図４】
2004353137.tif 000006
【図５】
2004353137.tif 000007
【図６】
2004353137.tif 000008